(57)【要約】      （修正有）【課題】後頭部衝撃吸収材の位置ずれを効果的に抑止できる保護キャップおよび保護キャップ付き面防具を提供する。【解決手段】保護キャップ１は、面防具３の内部において着用者の頭部に装着される保護キャップ１であって、着用者の頭部に被せられるキャップ本体１１と、キャップ本体１１の前後方向の後方に取り付けられるとともに、着用者の後頭部５００を覆うように位置し、後頭部５００への衝撃を吸収する後頭部衝撃吸収材１２と、キャップ本体１１の左右両側部同士を繋ぐとともに、着用者の顎部に引っ掛けられることでキャップ本体１１および後頭部衝撃吸収材１２の変位を規制する保持部と、を備える。【選択図】図３
0003190167.tif 000002
【実用新案登録請求の範囲】
【請求項１】
面防具の内部において着用者の頭部に装着される保護キャップであって、
前記着用者の頭部に被せられるキャップ本体と、
前記キャップ本体の前後方向の後方に取り付けられるとともに、前記着用者の後頭部を覆うように位置し、当該後頭部への衝撃を吸収する後頭部衝撃吸収材と、
前記キャップ本体の左右両側部同士を繋ぐとともに、前記着用者の顎部に引っ掛けられることで前記キャップ本体および前記後頭部衝撃吸収材の変位を規制する保持部と、を備える保護キャップ。
【請求項２】
前記保持部のうち前記着用者の顎部に接する部位には、当該顎部への衝撃を吸収する顎部衝撃吸収材が取り付けられる、請求項１に記載の保護キャップ。
【請求項３】
前記キャップ本体は、当該キャップ本体の前後方向の後方から下方に垂下するように設けられ且つ前記着用者の頭部に接する面に開口した袋状の収容部を有し、
前記後頭部衝撃吸収材は、前記収容部に対して着脱可能に収容される、請求項１または２に記載の保護キャップ。
【請求項４】
前記後頭部衝撃吸収材は、前記キャップ本体の前後方向において重なる第１衝撃吸収材、第２衝撃吸収材、および第３衝撃吸収材を有し、
前記第１衝撃吸収材、前記第２衝撃吸収材、および前記第３衝撃吸収材は、前記着用者の後頭部に近い側からこの順に並んでおり、
前記第１衝撃吸収材は、発泡樹脂からなり、
前記第２衝撃吸収材は、合成樹脂とゴムとの複合体からなり、
前記第３衝撃吸収材は、合成樹脂からなる、請求項１〜３のいずれか一項に記載の保護キャップ。
【請求項５】
請求項１〜４のいずれか一項に記載の保護キャップと、
前記保護キャップを覆うように前記着用者の頭部に装着されるとともに、前記キャップ本体の前後方向の後方において前記後頭部衝撃吸収材が露出する面防具と、
前記面防具および前記後頭部衝撃吸収材を取り囲むように設けられ、前記面防具を前記着用者の頭部に固定する固定部材と、を備え、
前記固定部材は、前記後頭部衝撃吸収材を前記着用者の後頭部に接するように変形させる、保護キャップ付き面防具。
【考案の詳細な説明】
【技術分野】
【０００１】
本考案は、面防具の内部において着用者の頭部に装着される保護キャップ、および保護キャップ付き面防具に関する。
【背景技術】
【０００２】
従来、逮捕術あるいは空手等の武道に関する試合あるいは練習時において、競技者が後頭部を強打することによる脳震盪等の負傷を防止する目的で、当該後頭部を保護する面防具が用いられる。特許文献１には、競技者の顔面を覆うように設けられた保護構造部材と、当該保護構造部材から競技者の後頭部を覆うように延びた後頭部保護クッション材と、保護構造部材と後頭部保護クッション材とを連結しており、当該保護構造部材および後頭部保護クッション材を競技者の頭部に固定したバンド部材と、を備えた面防具が記載されている。この面防具では、保護構造部材自体に後頭部クッション材が取り付けられており、当該後頭部クッション部材によって競技者の後頭部に対する衝撃を吸収することで当該競技者における脳震盪等の負傷を防止することができる。
【先行技術文献】
【特許文献】
【０００３】
【特許文献１】特開２００８−１２１７８号公報
【考案の概要】
【考案が解決しようとする課題】
【０００４】
特許文献１に記載された面防具では、保護構造部材自体に後頭部衝撃吸収材としての後頭部保護クッション材が取り付けられているため、上記の武道に関する試合あるいは練習時において保護構造部材が変位することで、後頭部を覆うように位置していた後頭部衝撃吸収材が適切な位置からずれ、これにより当該後頭部を効果的に保護できない可能性がある。
【０００５】
本考案は、上記の観点からなされたものであり、その目的は、後頭部衝撃吸収材の位置ずれを抑止できる保護キャップおよび保護キャップ付き面防具を提供することにある。
【課題を解決するための手段】
【０００６】
本考案者は、上記の課題を解決するための手段として、面防具の内部において競技者の頭部に保護キャップを装着し、当該保護キャップが後頭部衝撃吸収材を有する構成とすることで、当該後頭部衝撃吸収材の位置ずれを抑止することに想到した。具体的には、競技者が面防具の内部において当該面防具とは別体の保護キャップを装着し、当該保護キャップが有する後頭部衝撃吸収材が競技者の後頭部を覆うように配置されることで、上記の武道に関する試合あるいは練習時において面防具が変位したとしても、当該面防具とは別体の保護キャップの変位量は比較的小さく抑えられるため、当該保護キャップが有する後頭部衝撃吸収材の変位量も小さく抑えることができる。
【０００７】
しかしながら、上記の保護キャップでは、面防具に後頭部衝撃吸収材を取り付ける場合に比して上記の武道に関する試合あるいは練習時における後頭部衝撃吸収材の変位量を小さく抑えることができるものの、保護キャップが競技者の後頭部側に位置する後頭部衝撃吸収材を有するため、上記の武道に関する試合あるいは練習時に面防具の内部において保護キャップが位置ずれする可能性があり、これに伴う後頭部衝撃吸収材の位置ずれは避けられない。
【０００８】
そこで、本考案は、面防具の内部において着用者の頭部に装着される保護キャップであって、前記着用者の頭部に被せられるキャップ本体と、前記キャップ本体の前後方向の後方に取り付けられるとともに、前記着用者の後頭部を覆うように位置し、当該後頭部への衝撃を吸収する後頭部衝撃吸収材と、前記キャップ本体の左右両側部同士を繋ぐとともに、前記着用者の顎部に引っ掛けられることで前記キャップ本体および前記後頭部衝撃吸収材の変位を規制する保持部と、を備える。
【０００９】
上記の保護キャップでは、キャップ本体の前後方向の後方に取り付けられる後頭部衝撃吸収材によって着用者の後頭部を保護しつつ、キャップ本体の左右両側部同士を繋ぐとともに着用者の顎部に引っ掛けられる保持部によってキャップ本体および後頭部衝撃吸収材の変位を規制することができる。これにより、上記の武道に関する試合あるいは練習時において後頭部衝撃吸収材が適切な位置からずれることを抑止でき、着用者の頭部を適切に保護することができる。
【００１０】
前記保持部のうち前記着用者の顎部に接する部位には、当該顎部への衝撃を吸収する顎部衝撃吸収材が取り付けられることが好ましい。
【００１１】
上記の保護キャップでは、キャップ本体および後頭部衝撃吸収材の変位を規制するために着用者の顎部に引っ掛けられる保持部に対して顎部衝撃吸収材を取り付けるという合理的な構成により、上記の武道に関する試合あるいは練習時における前記顎部への衝撃を吸収し、これにより慢性外傷性脳症等の負傷を抑止できる。
【００１２】
前記キャップ本体は、当該キャップ本体の前後方向の後方から下方に垂下するように設けられ且つ前記着用者の頭部に接する面に開口した袋状の収容部を有し、前記後頭部衝撃吸収材は、前記収容部に対して着脱可能に収容されることが好ましい。
【００１３】
上記の保護キャップでは、キャップ本体が当該キャップ本体のうち着用者の頭部に接する面に開口した袋状の収容部を有するため、当該収容部に後頭部衝撃吸収材を収容した状態で着用者がキャップ本体を装着することで、当該収容部が着用者の頭部によって塞がれ、これにより後頭部衝撃吸収材をキャップ本体に固定しなくとも当該後頭部衝撃吸収材が収容部から抜け出ることを抑止できる。また、上記の保護キャップでは、後頭部衝撃吸収材が収容部に対して着脱可能に収容されるため、キャップ本体と後頭部衝撃吸収材とを分離して洗濯等を行うことができる。
【００１４】
前記後頭部衝撃吸収材は、前記キャップ本体の前後方向において重なる第１衝撃吸収材、第２衝撃吸収材、および第３衝撃吸収材を有し、前記第１衝撃吸収材、前記第２衝撃吸収材、および前記第３衝撃吸収材は、前記着用者の後頭部に近い側からこの順に並んでおり、前記第１衝撃吸収材は、発泡樹脂からなり、前記第２衝撃吸収材は、合成樹脂とゴムとの複合体からなり、前記第３衝撃吸収材は、合成樹脂からなることが好ましい。
【００１５】
本考案に係る保護キャップ付き面防具は、本考案に係る保護キャップと、前記保護キャップを覆うように前記着用者の頭部に装着されるとともに、前記キャップ本体の前後方向の後方において前記後頭部衝撃吸収材が露出する面防具と、前記面防具および前記後頭部衝撃吸収材を取り囲むように設けられ、前記面防具を前記着用者の頭部に固定する固定部材と、を備え、前記固定部材は、前記後頭部衝撃吸収材を前記着用者の後頭部に接するように変形させる。
【００１６】
上記の保護キャップ付き面防具では、面防具を着用者の頭部に固定する固定部材を利用して、後頭部衝撃吸収材を着用者の後頭部に接するように変形させることにより、上記の武道に関する試合あるいは練習時において、後頭部衝撃吸収材が適切な位置からずれることをより効果的に抑止できるとともに、着用者の後頭部に対する衝撃をより効果的に吸収することができる。
【考案の効果】
【００１７】
以上のように、本考案によれば、後頭部衝撃吸収材の位置ずれを効果的に抑止できる保護キャップおよび保護キャップ付き面防具が提供される。
【図面の簡単な説明】
【００１８】
【図１】本実施形態に係る保護キャップ付き面防具を示す概略側面図である。
【図２】本実施形態に係る保護キャップ付き面防具を示す概略背面図である。
【図３】本実施形態に係る保護キャップを示す概略側面図であって、後頭部衝撃吸収材および顎部衝撃吸収材を点線で示す。
【図４】本実施形態に係る保護キャップを示す概略正面図であって、顎部衝撃吸収材を点線で示す。
【図５】本実施形態に係る後頭部衝撃吸収材を示す概略斜視図である。
【図６】本実施形態に係る保護キャップの他の例を示す概略側面図であって、顎部衝撃吸収材を点線で示す。
【図７】図６に示す保護キャップ付き面防具を示す概略背面図である。
【図８】本実施例の結果を示すグラフであって、横軸に時間（２ｍｓ／ｄｉｖ）、縦軸に衝撃力（３ｋＮ／ｄｉｖ）を示す。
【考案を実施するための形態】
【００１９】
以下、本考案の一実施形態について、図面を参照しながら説明する。但し、以下で参照する各図は、説明の便宜上、本考案の一実施形態の構成部材のうち、本考案を説明するために必要な主要部材を簡略化して示したものである。したがって、本考案に係る保護キャップおよび保護キャップ付き面防具は、本明細書が参照する各図に示されていない任意の構成部材を備え得る。
【００２０】
本実施形態に係る保護キャップ付き面防具Ｘ１は、逮捕術あるいは空手等の武道に関する試合あるいは練習時において、競技者が着用する防具の一種である。
【００２１】
図１〜図４に示すように、保護キャップ付き面防具Ｘ１は、保護キャップ１、面防具３、および固定部材５を備えている。保護キャップ付き面防具Ｘ１の着用者は、保護キャップ１を頭部１００に装着するとともに、当該保護キャップ１上から頭部１００に面防具３を装着し、当該面防具３を固定部材５によって頭部１００に固定することで、当該頭部１００を保護しつつ上記の武道に関する試合あるいは練習を行うことができる。
【００２２】
まず、図３および図４を参照しつつ、保護キャップ１について詳細に説明する。保護キャップ１は、キャップ本体１１、後頭部衝撃吸収材１２、保持部１３、および顎部衝撃吸収材１４を備えている。
【００２３】
キャップ本体１１は、着用者の上方から当該着用者の頭部１００に被せられる部位である。具体的には、キャップ本体１１は、着用者の頭部１００のうち頭頂部付近の部位を覆うように被せられており、着用者の顔面３００が当該キャップ本体１１から露出している。本実施形態では、着用者の両耳のそれぞれにおける一部がキャップ本体１１から露出している。
【００２４】
なお、キャップ本体１１の形状については、特に限定されず、例えば当該キャップ本体１１が着用者の両耳を完全に覆っていてもよい。
【００２５】
キャップ本体１１は、後述する後頭部衝撃吸収材１２を収容する収容部１１ａを有している。収容部１１ａは、キャップ本体１１のうち着用者の頭部１００に接する面の一部が開口するように設けられた袋状の部位である。収容部１１ａは、キャップ本体１１の前後方向の後方、すなわち、着用者の後頭部５００側から下方に垂下している。
【００２６】
後頭部衝撃吸収材１２は、着用者の後頭部５００への衝撃を吸収する部材である。後頭部衝撃吸収材１２は、キャップ本体１１のうち着用者の頭部１００に接する面側から、当該キャップ本体１１の収容部１１ａに着脱可能に収容されている。そして、キャップ本体１１の収容部１１ａに後頭部衝撃吸収材１２が収容された状態で着用者が当該キャップ本体１１を被ることにより、収容部１１ａが着用者の頭部１００に塞がれ、これにより後頭部衝撃吸収材１２が収容部１１ａと着用者の頭部１００とによって取り囲まれる。
【００２７】
なお、後頭部衝撃吸収材１２は、その全部が収容部１１ａに収容されていてもよいし、その一部のみが収容部１１ａに収容されていてもよい。すなわち、後頭部衝撃吸収材１２は、少なくとも一部が収容部１１ａに収容されることによって、キャップ本体１１に保持されていればよい。
【００２８】
後頭部衝撃吸収材１２は、着用者の後頭部５００に沿って位置している。本実施形態では、後頭部衝撃吸収材１２は、着用者の頭頂部から頸部に亘る領域に設けられており、当該領域において後頭部５００を覆うように位置している。このため、上記の武道に関する試合あるいは練習時において、例えば着用者が後方に転倒することで後頭部５００を強打した場合であっても、後頭部衝撃吸収材１２が当該強打による衝撃を吸収し、後頭部５００に大きな衝撃が加わることを抑止できる。
【００２９】
図５に示すように、後頭部衝撃吸収材１２は、第１衝撃吸収材１２Ａ、第２衝撃吸収材１２Ｂ、および第３衝撃吸収材１２Ｃを有している。第１衝撃吸収材１２Ａ、第２衝撃吸収材１２Ｂ、および第３衝撃吸収材１２Ｃは、キャップ本体１１の前後方向、すなわち着用者の前後方向において互いに重なっている。
【００３０】
第１衝撃吸収材１２Ａは、第１〜第３衝撃吸収材１２Ａ〜１２Ｃのうち着用者の後頭部５００に最も近い側に位置している。第１衝撃吸収材１２Ａは、上下方向に沿って延びる矩形状をなしている。本実施形態では、第１衝撃吸収材１２Ａの材質は発泡樹脂であり、より好ましくは発泡ウレタン（ウレタンフォーム）である。
【００３１】
第２衝撃吸収材１２Ｂは、第１衝撃吸収材１２Ａと第３衝撃吸収材１２Ｃとの間に位置している。第２衝撃吸収材１２Ｂは、上下方向に沿って延びる矩形状をなしている。第２衝撃吸収材１２Ｂの下端部は、第１衝撃吸収材１２Ａの下端部に比して上下方向の上方に位置している。本実施形態では、第２衝撃吸収材１２Ｂの材質は、合成樹脂とゴムとの複合体であり、より好ましくは、アクリル樹脂とウレタン樹脂とゴムとの複合体である。
【００３２】
第３衝撃吸収材１２Ｃは、第１〜第３衝撃吸収材１２Ａ〜１２Ｃのうち着用者の後頭部５００から最も遠い側に位置している。第３衝撃吸収材１２Ｃは、上下方向に沿って延びる矩形状をなしており、第２衝撃吸収材１２Ｂと略同形状をなしている。第３衝撃吸収材１２Ｃの下端部は、第２衝撃吸収材１２Ｂの下端部と同様に、第１衝撃吸収材１２Ａの下端部に比して上下方向の上方に位置している。本実施形態では、第３衝撃吸収材１２Ｃの材質は合成樹脂であり、好ましくはエチレンビニルアセテート（ＥＶＡ）である。
【００３３】
ここで、本実施形態では、上記のとおり第２衝撃吸収材１２Ｂの下端部および第３衝撃吸収材１２Ｃの下端部が第１衝撃吸収材１２Ａの下端部に比して上下方向の上方に位置しているため、後頭部衝撃吸収材１２の下端部が当該後頭部衝撃吸収材１２の下端部以外の部位に比して厚みが薄い凹段部１２ａとなる。
【００３４】
なお、第１〜第３衝撃吸収材１２Ａ〜１２Ｃのそれぞれの形状あるいは厚み等は任意であって、保護キャップ１の使用態様に応じて適宜変更することができる。また、後頭部衝撃吸収材１２は、第１〜第３衝撃吸収材１２Ａ〜１２Ｃを有した三層構造でなくてもよく、例えば単一の衝撃吸収材によって構成されていてもよい。
【００３５】
保持部１３は、キャップ本体１１および後頭部衝撃吸収材１２の変位を規制する部位である。本実施形態では、保持部１３は、キャップ本体１１と一体である。保持部１３は、キャップ本体１１の左右両側部同士を繋いでいる。具体的には、保持部１３は、着用者の両耳の前方に位置するキャップ本体１１の一部分同士を繋いでいる。保持部１３は、着用者の両頬に沿って延びるとともに、当該着用者の顎部７００に引っ掛けられている。これにより、上記の武道に関する試合あるいは練習時において、着用者の頭部１００が激しく動くような場合であっても、キャップ本体１１および当該キャップ本体１１に取り付けられた後頭部衝撃吸収材１２が変位することを抑止できる。
【００３６】
なお、保持部１３は、キャップ本体１１と一体でなくともよく、キャップ本体１１と別体であってもよい。例えば、紐状のゴム部材の一端および他端のそれぞれをキャップ本体１１の左右両側部のそれぞれに結び付ることで、当該ゴム部材を保持部１３としてもよい。
【００３７】
顎部衝撃吸収材１４は、着用者の顎部７００への衝撃を吸収する部材である。顎部衝撃吸収材１４は、保持部１３のうち着用者の顎部７００と接する部位に取り付けられている。本実施形態では、顎部衝撃吸収材１４は、三日月形状をなしており、当該三日月形状の内側の弧が着用者における上下方向の上方を向いた状態で顎部７００に対応する保持部１３に取付けられている。これにより、上記の武道に関する試合あるいは練習時において、着用者の顎部７００に対する打撃等の衝撃を吸収することができる。本実施形態では、顎部衝撃吸収材１４の材質は、後頭部衝撃吸収材１２の二層目、つまり第２衝撃吸収材１２Ｂの材質と同一である。すなわち、顎部衝撃吸収材１４としては、合成樹脂とゴムとの複合体、より好ましくは、アクリル樹脂とウレタン樹脂とゴムとの複合体が用いられる。
【００３８】
なお、顎部衝撃吸収材１４の形状あるいは厚み等は任意であって、保護キャップ１の使用態様に応じて適宜変更することができる。
【００３９】
次に、図１および図２を参照しつつ、面防具３および固定部材５について詳細に説明する。
【００４０】
面防具３は、上記の武道に関する試合あるいは練習時において、着用者の頭部１００あるいは喉を保護する防具である。面防具３は、保護キャップ１を覆うように着用者の頭部１００に装着される防具本体と、当該防具本体の一面に取り付けられた格子部３１と、を有している。
【００４１】
格子部３１は、着用者の顔面３００に対向する部位であって、例えば金属性の格子によって構成される。保護キャップ付き面防具Ｘ１の着用者は、当該面防具３の格子部３１における隙間から前方を臨みつつ、上記の武道に関する試合あるいは練習を行うことができる。
【００４２】
ここで、防具本体は、格子部３１と反対側において開放部３２を有している。開放部３２は、着用者の後頭部５００側に位置しており、面防具３の内部と外部とを連通する部位である。着用者が面防具３を装着した状態で、後頭部衝撃吸収材１２が収容された収容部１１ａは、開放部３２を介して面防具３の外部に露出している。
【００４３】
固定部材５は、面防具３を着用者の頭部１００に固定する部材である。本実施形態では、紐状の固定部材５は、着用者の頭部１００の周方向において、面防具３を取り囲むように巻き付けられており、当該着用者の後頭部５００側において固定部材５の一端と他端とが結びつけられている。これにより、面防具３が着用者の頭部１００に固定され、当該頭部１００が開放部３２を通じて面防具３の外部に抜け出ることを抑止できる。ここで、後頭部衝撃吸収材１２の凹段部１２ａは、着用者の後頭部５００と当該後頭部５００側に位置する固定部材５との間に位置している。後頭部衝撃吸収材１２は、当該後頭部衝撃吸収材１２の凹段部１２ａが固定部材５によって後頭部５００に押し当てられることで、当該後頭部５００に接するように変形している。
【００４４】
なお、固定部材５は、紐状でなくともよく、例えば環状のバンド部材によって構成されていてもよい。
【００４５】
以上のとおり、保護キャップ１では、当該保護キャップ１が面防具３とは別体に構成されているとともに、後頭部衝撃吸収材１２によって着用者の後頭部５００を保護しつつ保持部１３によってキャップ本体１１および後頭部衝撃吸収材１２の変位を規制することができるため、後頭部衝撃吸収材１２の位置ずれを効果的に抑止できる。具体的には、保護キャップ付き面防具Ｘ１の着用者は、面防具３の内部において当該面防具３とは別体の保護キャップ１を装着しており、当該保護キャップ１が後頭部衝撃吸収材１２を備えているため、上記の武道に関する試合あるいは練習時において、面防具３が変位したとしても、当該面防具３とは別体の保護キャップ１の変位量は比較的小さく抑えられるため、当該保護キャップ１が備えている後頭部衝撃吸収材１２の変位量も比較的小さく抑えることができる。さらに、保護キャップ１では、キャップ本体１１の左右両側部を繋ぐ保持部１３が着用者の顎部７００に引っ掛けられるため、キャップ本体１１および後頭部衝撃吸収材１２の変位が規制され、これにより後頭部衝撃吸収材１２が適切な位置からずれてしまうことを抑止できる。このため、保護キャップ１によれば、着用者の後頭部５００を適切に保護することができる。
【００４６】
さらに、保護キャップ１では、保持部１３のうち着用者の顎部７００に対応する部位に顎部衝撃吸収材１４を取付ける簡易な構成によって、上記の武道に関する試合あるいは練習時において、キャップ本体１１および後頭部衝撃吸収材１２の変位を規制しつつ、顎部７００への衝撃を吸収することができ、これにより慢性外傷性脳症等の負傷を抑止できる。
【００４７】
さらに、保護キャップ１では、収容部１１ａに後頭部衝撃吸収材１２を収容した状態で着用者がキャップ本体１１を装着することにより、収容部１１ａが着用者の頭部１００によって塞がれるため、後頭部衝撃吸収材１２をキャップ本体１１に固定しなくとも当該後頭部衝撃吸収材１２が収容部１１ａから抜け出ることを抑止できる。また、保護キャップ１では、後頭部衝撃吸収材１２が収容部１１ａに対して着脱可能に収容されているため、キャップ本体１１と後頭部衝撃吸収材１２とを分離して洗濯等を行うことができる。
【００４８】
さらに、保護キャップ１は、発泡樹脂製（例えば発泡ウレタン）からなる第１衝撃吸収材１２Ａと、合成樹脂とゴムとの複合体（例えばアクリル樹脂とウレタン樹脂とゴムとの複合体）からなる第２衝撃吸収材１２Ｂと、合成樹脂（例えばエチレンビニルアセテート）からなる第３衝撃吸収材１２Ｃとが積層された三層構造の後頭部衝撃吸収材１２を有するため、この後頭部衝撃吸収材１２によって着用者の後頭部５００に対する衝撃を効果的に吸収することができ、後頭部５００の保護性能を向上させることができる。
【００４９】
さらに、保護キャップ１を備えた保護キャップ付き面防具Ｘ１では、面防具３を着用者の頭部１００に固定するための固定部材５を利用して、後頭部衝撃吸収材１２を着用者の後頭部５００に接するように変形させることができるので、上記の武道に関する試合あるいは練習時において、後頭部衝撃吸収材１２が適切な位置からずれることをより効果的に抑止できるとともに、着用者の後頭部５００に対する衝撃をより効果的に吸収することができる。
【００５０】
なお、上記では、本実施形態に係る保護キャップ１および保護キャップ付き面防具Ｘ１について詳細に説明したが、本考案に係る保護キャップおよび保護キャップ付き面防具はこれに限定されるものではなく、種々の変形が可能である。
【００５１】
上記の実施形態に係る保護キャップ１では、キャップ本体１１が収容部１１ａを有しており、当該収容部１１ａに後頭部衝撃吸収材１２が収容されているが、これに限らず、後頭部衝撃吸収材１２はキャップ本体１１に取り付けられていればよい。
【００５２】
例えば、図６に示すように、保護キャップ１は、上記の実施形態におけるキャップ本体１１および後頭部衝撃吸収材１２に代えて、キャップ本体１５および後頭部衝撃吸収材１６を備えていてもよい。具体的には、図６に示す保護キャップ１では、キャップ本体１５が収容部を有しておらず、当該キャップ本体１５と後頭部衝撃吸収材１６とが別体として設けられている。キャップ本体１５の外表面には、例えば面ファスナーのループからなる取付け部１５ａが設けられている。そして、キャップ本体１５とは別体の後頭部衝撃吸収材１６は、例えば面ファスナーのフックからなる装着部１６ａを有しており、当該装着部１６ａが取付け部１５ａに貼り付けられることによって、後頭部衝撃吸収材１６がキャップ本体１５に取り付けられている。また、後頭部衝撃吸収材１６は、その下端において上下方向の下方に延びる巻き付け固定部１６ｂを有している。この巻き付け固定部１６ａは、図７に示すように、図６に示す保護キャップ１を備えた保護キャップ付き面防具Ｘ１において、後頭部５００側に位置する固定部材５に巻き付けられており、これにより後頭部衝撃吸収材１６がキャップ本体１５および固定部材５に保持されている。
【実施例】
【００５３】
本実施形態に係る保護キャップ１の衝撃吸収性能を確認する試験を行った。具体的には、まず、本実施形態に係る保護キャップ１と同様の構造を有する試験体を用意した。当該試験体における後頭部衝撃吸収材１２のうち、第１衝撃吸収材１２Ａは、発泡ウレタン（ウレタンフォーム）によって構成し、第２衝撃吸収材１２Ｂは、アクリル樹脂とウレタン樹脂とゴムとの複合体によって構成し、第３衝撃吸収材１２Ｃは、エチレンビニルアセテート（ＥＶＡ）によって構成した。次いで、当該試験体を人型模型の頭部に装着することにより、後頭部衝撃吸収材１２を当該人型模型の後頭部に沿って配置した。そして、人型模型の後頭部に対して、３００ｍｍの高さから重さ５ｋｇの平面形ストライカを自由落下させ、当該後頭部における衝撃力波形を測定した。
【００５４】
図８は、上記の衝撃力波形の測定結果を示すグラフである。図８では、３ｋＮ／ｄｉｖの縦軸と、２ｍｓ／ｄｉｖの横軸とによって上記の衝撃力波形を示している。なお、図８では、本実施例の比較例として、本実施形態に係る保護キャップ１の試験体を装着しない人体模型に対して、上記と同様の試験を行った際の測定結果も示している。
【００５５】
図８に示すように、本実施形態に係る保護キャップ１の試験体を装着した際の人体模型の後頭部における衝撃力の最大値は、２．８４ｋＮであり、比較例における最大値である２３．７３ｋＮに比して著しく小さいものであった。この結果から、本実施形態に係る保護キャップ１によれば、着用者の後頭部５００への衝撃を効果的に吸収することができ、これにより当該後頭部５００を有効に保護できることが確認された。
【符号の説明】
【００５６】
Ｘ１          保護キャップ付き面防具
１            保護キャップ
１１，１５    キャップ本体
１１ａ        収容部
１２，１４    後頭部衝撃吸収材
１２ａ        凹段部
１２Ａ        第１衝撃吸収材
１２Ｂ        第２衝撃吸収材
１２Ｃ        第３衝撃吸収材
１３          保持部
３            面防具
５            固定部材
【図１】
0003190167.tif 000003
【図２】
0003190167.tif 000004
【図３】
0003190167.tif 000005
【図４】
0003190167.tif 000006
【図５】
0003190167.tif 000007
【図６】
0003190167.tif 000008
【図７】
0003190167.tif 000009
【図８】
0003190167.tif 000010